Podtech/llm-jp-corpus-v4-ja_patent huggingface dataset:
(57)【要約】      （修正有）【課題】ペットボトルの回収、移動の効率化を計りリサイクルし易い専用小型破砕機を提供する。【解決手段】ペットボトルを潰しながら巻き込むローラー、縦にカットしながら送り出すローラー、横にカットするカッターの３工程を一つに有する小型破砕機とする。【選択図】図５
2005211893.tif 000002
【特許請求の範囲】
【請求項１】
ペットボトルを、潰しながら巻き込むローラー、縦にカットしながら送り出すローラー、横にカットするカッターの３工程を１つに有する小型破砕機。
【請求項２】
破砕後のチップが、１ｃｍ角や２ｃｍ角の正方形、又は長方形など指定さされた形を容易に作りやすく、回収や移動し易い形を作ることができる小型破砕機。
【請求項３】
袋の設置部を除き、破砕機部は市販のごみ箱の投入口部分位しかなく、これほどコンパクトで小型の物は類を見ない。
【発明の詳細な説明】
【技術分野】
【０００１】本発明は、ペットボトルのリサイクルに関する物で、それに付随して回収、移動の効率化を計り、リサイクルし易いチップを作る小型破砕機に関する物である。
【背景技術】
【０００２】清掃センターに設置されておりますが、機械を見ることが出来ず固定式で大型であると聞きました。【０００３】
【特許文献１】  特開平１１−１９７５２９号公報
【特許文献２】  特開  ２００１−２１９０８９号公報
【発明の開示】
【発明が解決しようとする課題】
【０００４】現在、日本のペットボトル消費量は４０万ｔと言われ、回収率は５０％で世界１位と言われていますが、逆を言えば他国の１年分、約２０万ｔが未回収となっている。
その未回収分を、より多くリサイクルしなければならない事と、回収と移動の効率化が急務となっている。
現在、ペットボトルの回収量が増えると回収トラックの回数を増やし、集められたボトルを人がコンベアーに乗せるという作業も増え、かかる経費も増えるという事も課題の１つである。
【課題を解決するための手段】
【０００５】廃ペットボトルを回収される前に、チップにして置けば問題は解決します。
粉砕という事も考えられますが、粉砕後チップの大きさが異なれば再処理業者の業務に支障をきたす可能性があり、新たな問題発生の可能性を払拭する為には、本発明の破砕機が最適と思われます。
発明品の設置場所も、問題解決の大事な要因の１つと考えられる。
図（５）を見ての通り、市販のごみ箱と同じ形をしており、設置場所としてはコンビ二エンスストアー、スーパー、デパートなどの人が集まる場所に、設置するのが最適です。
【発明の効果】
【０００６】家庭にあるペットボトルは、ごみ袋に入れられ集積所に集められるが、袋には２０数本しか入らず不経済感が有ることと、ごみ袋代もかかります。
買い物する所に破砕機が有れば、家庭より持って行き廃棄すれば簡単に済み、不経済感は無くなり袋代もかかりません。
回収にいたっては、ボトルのままだと回収トラック満載でも、２００〜３００ｋｇしか無く重量では５倍以上積める能力は有るが、質量で限界が有りこの部分で回収効率を、著しく低下させている。
発明品の破砕機を使用すると、ペットボトルがチップ状となる為、質量を大幅に下げる事が出来るほか、回収、運送の効率化を計れる事が最大の発明の効果である。
【発明を実施するための最良の形態】
【０００７】投入口の下には、ペットボトルを巻き込みローラーに落とし込むレールを取り付ける。
小型である為、投入形態はボトル口を下にして巻き込まれやすい形での投入という制約を受ける。
巻き込みローラーを、上下垂直になる様そして、両方が触れない位に取り付ける。
出口側には短冊カット用ローラーを上下垂直に、そして上下ローラーが重なり合う用に取り付ける。
その際、巻き込まれた物が短冊カット用ローラーに届く前に脱落しない用、スライド支持プレートを取り付ける。
短冊形にカットされた物が、チップ用回転カッターに送り込まれ横にカットするために、チップ用固定カッターを取り付ける。
固定カッターは、スライド支持プレートの働きも有する。
カッター部の組み立ての際、巻き込みローラー、短冊カット用ローラー、チップ用回転カッターの中心線が一直線と成るように組み立てる。
動力は低回転モーターを使い、チェーン、ギアを介してローラーに伝える。
【実施例１】
【０００８】投入口より投入後のペットボトルの流れは、図４、図５により説明する。
レール（８）を通り、（１）、（２）の巻き込みローラーに潰されながら、巻き込まれる。
図４の、ローラーの設置形態を見ての通り、ボトル自体の質量、空気の圧縮によるクラッシュを防ぐため隙間を設ける。
ローラー（１）の、おおとつも巻き込み易さ、クラッシュ防止のためでもある。
縦にカットするローラー（３）、（４）は、重なり合う用に設置する。
短冊カット用となっているが、実際カットされた形は横から見るとリング状になり、大幅な質量の圧縮にはならず、（５）のチップ用回転カッターが必要となる。
カッター（５）により始めてチップ状になり質量の圧縮になる。【０００９】図５により小型破砕機の使用形態を、確認することができる。
【産業上の利用可能性】
【００１０】今は店舗用としての発明品ですが、家庭用または自治体用としても使用可能である。
また、ペットボトル以外の破砕が出来るため紙専用、プラスチック専用など用途を決めて使用する事により、焼却処分の廃棄物でも充分圧縮する事ができ、運送等の効率化を計れる物として、使用可能である。
【図面の簡単な説明】
【００１１】
【図１】内部パーツ部品図
【図２】内部パーツ部品図
【図３】内部パーツ部品図
【図４】上部組み立て図、側面図
【図５】完成側面図
【符号の簡単な説明】
【００１２】        （１）巻き込み用上部ローラー
（２）巻き込み用平ローラー
（３）短冊カット用上部ローラー
（４）短冊カット用下部ローラー
（５）チップカット用回転刃
（６）チップカット用下部固定刃
（７）スライド支持プレート
（８）投入レール
（９）低回転モーター
（１０）連動チェーン
【図１】
2005211893.tif 000003
【図２】
2005211893.tif 000004
【図３】
2005211893.tif 000005
【図４】
2005211893.tif 000006
【図５】
2005211893.tif 000007
(57)【要約】      （修正有）【課題】処分が困難な廃棄物である自動車の廃車から出るシュレッターダスト、廃棄された携帯電話、使用済み乾電池、廃プラスチック、アルミ等の金属屑、フレコン等の繊維屑などや、現在は埋立処分等されているが、処分場不足が懸念されている家屋建て替え時に出る屋根瓦などをコンクリート二次製品化し再利用することにより地球環境を考え廃棄物ゼロを目指す。【解決手段】上記の廃棄物を切断し細かく粉砕して下水汚泥等と混合し、コンクリート固形化する。櫛引き敷石、高速道路、新設道路の側面等の路盤材、活断層の多い地震国日本での家屋崩壊を少しでもなくすための軽量屋根瓦として使用する。製品瓦の着色は宇宙ステーションからの電磁波や携帯電話のアンテナ塔からの電磁波等から身を守れる反射系のシルバー色を用いる。【選択図】なし【特許請求の範囲】
【請求項１】
自動車の廃車から出る破砕屑を現在は埋立処分しているがシュレッターダストを再度分別し破砕して携帯電話、使用済み乾電池、屋根瓦屑、プラスチック屑、発砲スチロール等を１ｃｍ以内に粉砕した物と混合して、８０度から１００度で発酵した下水汚泥とコンクリート固形化する方法。使途は、国土交通省等の新設道路等での擁壁、高速道路等での側面敷石とする。工法を変えて屋根瓦、新築家屋の下見板兼地震対策壁等とし着色はキャメルベージュを主に配色する。
【請求項２】
シュレッターダストは現在後進国に中古車として輸出しているのが現実で、車も生産から１０年位で廃車となる様相である。シート等の繊維は破砕した場合の処理が困難で樹脂などは蓄積しておくと自然発火する恐れがあり（現に２件発生）埋立方式も住民パワー等で新設が難しい現況である。年間８０万トンの埋立も近い将来満杯となる事が予想され、自動車リサイクル法の施工が間近と思われる。
【請求項３】
屋根瓦も家屋の立替え時に分別しているものの廃棄場所もなく埋立処分場も全国各地で不足気味である。現在のリサイクする瓦は、焼き瓦であるが平瓦１枚１０ｋｇで一般住宅１棟で３０〜４０トン位の重量である。東海地方での強度な地震が叫ばれており、活断層の多い日本では屋根瓦にしても一考を擁し家屋崩壊を免れたいものです。焼き瓦も粉砕し重さを軽減するためプラスチック、発砲スチロールも同時に粉砕した物を混合する。セメント瓦でも現在の新築工法の１枚１ｋｇで４０〜５０年は持続する。着色は宇宙ステーションからや携帯電話等のアンテナ塔から発進されている電磁波から身を守れる反射形のシルバー系の色を用いる。
【発明の詳細な説明】
【発明の詳細な説明】
【０００１】  シュレッターダストをコンクリート固形化し、国道、高速道路等の側面等に使用する。現在は雑草がいっぱいであるが、刈り取った草も野焼き禁止であり処分に困っているのが現状で、２ｍ角位の大きさで次々と接続できるよう（別紙図）に作る。雑草の発芽防止のため下水汚泥は、高温にて発酵又は熱風乾燥にて１００度位で処理する。敷石にして側面に置いた場合に雑草が生えた時の処分に対しての考慮である。
【０００２】  屋根瓦の場合は地震の時に重量による崩壊が少なくなる事と何回でもリサイクルできる事が特典であると思われる。それに伴い同じ工法で作った下見板兼間仕切り（１ｍ×２ｍ）を柱と柱に入れ込み崩壊を防ぐ建材とし、美化も兼ねた筋交いの代替えにも使用する。
【発明に属する技術分野】
【０００３】  各廃棄物を寸断した後、粉砕機にて１ｃｍ以下の細かさにする。下水汚泥は粒子が細かいため発酵させた後、一応ペレット化する。シュレッターダストは分別した後繊維、樹脂系を混合しセメント固形化する。表面は櫛引きとし縦横に組み合わせてもカラフルになるように着色を可能にする。
【発明が解決しようとする課題】
【０００４】  セメント屋根瓦は原料を同じにして軽量になるように作り、地震の振動に耐える事ができれば崩壊を免れ火災を招く事もなく人命救助にもつながる。焼き瓦は特に重量すぎるため、台風時に吹き飛ばない焼き瓦の３分の１から半分位、３００〜５００ｇでよく強度も充分に計り得る。下見板も家屋の頑丈さを補助する事ができる。
【課題を解決するための手段】
【０００５】  擁壁は鉄筋を入れるが繋ぎとして携帯電話の粉砕屑やシュレッターダストの鉄屑等も混合しリサイクル率アップにする。
【製品の価値】
【０００６】  いずれの廃棄物も処理料を貰うので製品のコストが低く商品価値は充分であり奨励できるものである。
【図面の簡単な説明】
【図１】      櫛引き敷石
【図２】      セメント瓦
【図３】      擁壁
【図１】
2005211895.tif 000002
【図２】
2005211895.tif 000003
【図３】
2005211895.tif 000004
【手続補正書】
【提出日】平成16年4月14日(2004.4.14)
【手続補正４】
【補正対象書類名】図面
【補正対象項目名】全図
【補正方法】変更
【補正の内容】
【図１】
2005211895.tif 000005
【図２】
2005211895.tif 000006
【図３】
2005211895.tif 000007
(57)【要約】〔課題〕保冷器を回転させ、寿司に湿気と冷気を与える装置を提供する。〔解決する手段〕回転コンベアー上に、保冷器を装着した台を置き移動させ、常に寿司に対して加冷、加湿を与える様にした。それを解決する手段として、保冷器の保冷効果を有効的に、且長時間保ち、尚且保冷器の結露を防止する為に、断熱材３を貼付けた。尚保冷器は、一定時間毎に交換する為、作業性を考え磁石吸着３、保持式を考案した。保冷及び加湿については、円錐筒８の上下部に開口部１０．１２を設けて空気の巡還を計った。〔選択図〕図１【特許請求の範囲】
【請求項１】
コンベアーによって移動する台を設け、その台に磁性体からなる保冷器保持用Ｌ棒を固定し、且保冷器の上部に磁石を埋込固定し、Ｌ棒に保冷器を吸着させ懸垂保持する装置。
【請求項２】
皿上の寿司にかぶせる円錐筒は、上部及び下部の一部を開放し、室内空気が、巡還する如くなっている装置。
【請求項３】
保冷容器の内面に、断熱材を貼付け、結露防止と、無効放冷をなくす装置。
【発明の詳細な説明】
【発明する詳細な説明】
【０００１】〔発明の属する技術分野〕本発明は、回転寿司用コンベアーによって移動する、Ｌ型磁性棒付台に、保冷器に固定された磁石によって、保冷器を懸垂保持する。並びに、保冷、加湿の為の空気巡還口を上下に持つ円錐筒からなり、尚且保冷器内面に断熱用マット（ミラーマット等）を貼付け、保冷器外周の結露防止と無効放冷を防止する装置からなる。
【０００２】〔従来の技術〕
【０００３】コンベアー上に寿司を盛った皿を乗せ、それを移動させるだけであった。その為不衛生である上に、室温で暖ったり、乾燥変色して商品価値をなくすと共に、食するに適さない寿司は、排業していた。
【０００４】トンネル式保冷装置があるが、この方法は、トンネル式の冷蔵庫内をコンベアーが回転しているもので、冷却用フロンパイプに、水分が全部凍結してしまい、ネタが乾燥変色すると同時に、シャリまで冷され商品価値がなくなってしまう。
【０００５】皿にかぶせられたカバーの上部に、保冷器を取付けたものがあるが、〔０００４〕のトンネル式と同杯の現象が発生する。しかも保冷器付カバーを、空皿と共に、客が横に積重ねておかねばならず、かさばって邪すになる。又集収の頁たくも大きくなる。更に保冷能力の効力が、どの様になっているか、保冷管理が困難である。
【０００６】〔課題を解決する為の手段〕前記課題を解決する為に、コンベアーにＬ型磁性体を固定した台を乗せ、回転させる。この台に、前もって、冷凍しておいた保冷器を磁石により吸着保持させる。磁石は、剥離方法には吸着力が強く、スライド方向には、力が弱いので着脱が簡単である。磁石には圭素系の強力なものを用いる。
【０００７】寿司を供する時は、円錐筒を、寿司を、盛った皿にかぶせ、台の上の置く、食する客は、円錐筒と共に、皿を取り食する。空きになった台には、業者が寿司に円錐筒をかぶせて供する。
【０００８】保冷器は役２時間保冷効力がある為、２時間毎に決められた交換個所で、予備の冷凍した保冷器と交換すれば良く、温度管理（保冷）が確実である。交換所要時間は、１ケ当り約２秒位ですむ。一連のコンベアーには、１５０〜２００皿が乗せられ、一周するのに、約７分であるので交換時間は充分にある。
【０００９】透明円錐筒は、上部及び下部の一部を開放、円錐筒内の空気が巡還する様になっている。即ち保冷器により円錐筒内の空気が冷され、冷された重い空気は、下部の開放口より流出する。この為に上部の開放口より室内の湿気がある空気が流入し、ネタに結露して、ネタの乾燥を防ぐと共に、ネタを冷す。
【００１０】保冷器本体は、例えメラミン材（熱伝導率ｋ０．３×１０−３）を用いても、本体外周に室内の湿気が結露し、それが雫となり寿司上に落下し不衛性であり、客に対しても印象が良くない。又結露するという事は、容器外周から無効な放冷が、発生している事になる。これを解決する為に、容器内面にミラーマット（熱伝導率（ｋ０．０２×１０−３）を貼る事により、断熱効果層が出来結露を防止すると共に無効放冷を防止する。
【００１１】〔発明の実施形態〕図１は本発明の実施形態断面図である。図２は移動台５に、保冷器１を取付けた上面図である。
【００１２】保冷器の容器１の内面に断熱材ミラーマット１３を貼付し、保冷材２を充てんして、放冷板１１で密閉している。
【００１３】容器１の上部に、吸着懸垂保持用の強力な磁石３を埋込接着してある。
【００１４】台５にＬ形磁性体の棒４を固定し、保冷器が簡単に磁石３により着脱出来る様になっている。
【００１５】円錐筒８には、上部１２が開放され、下部の皿に接する部分に、一部開放部分１０を設け、室内の空気が、巡還９する様になっている。
【００１６】保冷器の放冷板１１と、円錐筒８の間隔は、皿７が円錐筒８と一緒に、取出せる間隔（１０〜１５ｍ／ｍ）になっている。
【００１７】〔発明の効果〕本発明によって、以下の効果を奏することが出来る。
【００１８】保冷器自体の、結露現象による雫の落下を防止出来、又無効放冷がなく、長時間に渡って有効放冷を持続出来る。
【００１９】円錐筒に設けられた、上下部の開放口により、空気が巡還し、寿司の乾きを防ぎ、ネタを適温に保つことが出来る。
【００２０】着脱交換が、磁石式になっている為に簡単であり、作業性が良い。
【００２１】以上により客に対して衛生感、信頼感と万足感を与え、業者側としても、取残された寿司を処分するという、不経済な面も解消される。
【図面の簡単な説明】
【００１３】〔図１〕本発明の使用時の組立断面図。〔図２〕本発明の保持台に保冷器を吸着させた上面図。〔符号の説明〕  １．容器  ２．保冷材  ３．保持用磁石  ４．保持磁性体Ｌ棒  ５．台  ６．寿司  ７．皿  ８．円錐筒  ９．空気巡還方向１０．円錐筒下部開口１１．放冷板１２．円錐筒上部開口１３．断熱用ミラーマット
2005211067.tif 000002
2005211067.tif 000003
(57)【要約】【課題】    電子レンジにも強い耐熱寒天食品の製造を可能とする事により、ポリエチレン製装飾品等の代用食品として使用出来、またゴミとして燃焼させても無害である。【解決手段】    寒天食品製造加熱過程で、塩化マグネシウム、牛乳、酢酸を加えて凝固性を高め、冷蔵乾燥または冷凍乾燥させた後に常温で保湿させる。【選択図】    図１
2005211065.tif 000002
【特許請求の範囲】
【請求項１】
寒天、水、色素を含む水溶液に味付けを施し、塩化マグネシウム、もしくは牛乳あるいは豆乳、もしくは酢酸を、加熱過程で加えて凝固性を高め、うらごしして型に流し、冷蔵乾燥または冷凍乾燥させた後に常温で保湿させ加工した、耐熱寒天食品の製造方法。
【請求項２】
請求項１に基づく食品。これは、耐熱を必要としない寒天食品をも含む。
【発明の詳細な説明】
【技術分野】
【０００１】    本発明は、寒天食品製造加熱過程で、塩化マグネシウム、牛乳、酢酸を加えて凝固性を高め、冷蔵乾燥または冷凍乾燥させた後に常温で保湿させる事により耐熱寒天食品の製造を可能とする。
【背景技術】
【０００２】    寒天食品にはゼリーやようかん等があるが、電子レンジにかけると、水分により爆発して溶解してしまう。また、弁当の仕切りバラン等の装飾品は、ポリエチレンで出来ており、燃焼させると有害で、その代用食品を考慮する。
【発明の開示】
【発明が解決しようとする課題】
【０００３】    電子レンジにも強い耐熱寒天食品の製造、および寒天食品であるがゆえに天然ゴミとして扱え、無害化を図る。
【課題を解決するための手段】
【０００４】    寒天食品製造加熱過程で、塩化マグネシウム、牛乳、酢酸を加えて凝固性を高め、冷蔵乾燥または冷凍乾燥させた後に常温で保湿させる。
【発明の効果】
【０００５】    バラン等のポリエチレン製装飾品を、本発明の耐熱寒天食品で代用出来、無害である。また、その他の食品としても製造可能である。
【発明を実施するための最良の形態】
【０００６】    バラン等のポリエチレン製装飾品への代用。図面について説明すれば、耐熱寒天バラン１であり、耐熱を必要としない装飾品の寒天製造の花２である。２に於いては、塩化マグネシウム、牛乳、酢酸の分量を減らし、乾燥時間を短縮させて製造加工した食品である。
【実施例】
【０００７】    本発明によって製造された食品を、６００Ｗの電子レンジで３分放電したところ、多少の縮みは出るものの、溶解する事なく、食する事が出来た。
【図面の簡単な説明】
【０００８】
【図１】  耐熱寒天食品を示した斜視図である。
【図２】  寒天食品を示した平面図である。
【符号の説明】
【０００９】  １  耐熱寒天バラン
２  耐熱を必要としない装飾品の寒天製造の花
【図１】
2005211065.tif 000003
【図２】
2005211065.tif 000004
(57)【要約】【課題】洗面化粧台・台所流し台・調理台などの作業台において、車椅子に座った使用者に対する利便性を向上させる。【解決手段】洗面化粧台Ｓの洗面カウンター１の下方に、使用者が車椅子に座ったままの状態で膝を入れることの可能なニースペースＮを設ける。赤外線センサー１１をキャビネット３部分に配置したり、感圧センサー１２をニースペースＮにおける床面に配置し、ニースペースＮ内に浸入した人体又は車椅子Ｋをセンサーで検知すると、鏡体Ｍの防曇ヒータＨや照明器具等の付属機器に対する通電を開始し、使用者が洗面化粧台Ｓから離れると通電を停止させる。人体又は車椅子ＫがニースペースＮ内に浸入したときだけ検知し、洗面化粧台Ｓの前方を通過するだけの人は検知しないから、意図せずに付属機器を動作させるおそれがない。【選択図】      図１
2005211093.tif 000002
【特許請求の範囲】
【請求項１】
作業カウンターの下方に、車椅子に座った状態の人の膝を収納できるニースペースが設けられた作業台において、当該ニースペース内に浸入した人体又は車椅子を検知するセンサーが設けられ、当該センサーの検知信号に基づき、前記作業台周辺に設置した照明器具等の付属機器を動作させるように設定されていることを特徴とする車椅子用作業台
【請求項２】
前記作業台のニースペースから人体及び車椅子が退出したことを検知すると、前記付属機器の動作を停止させるように設定されている請求項１に記載の車椅子用作業台
【発明の詳細な説明】
【技術分野】
【０００１】
本発明は、洗面化粧台・台所流し台・調理台などの作業台において、車椅子に座った使用者に対する利便性を向上させることを目的とする。
【背景技術】
【０００２】
洗面化粧台や台所の流し台等において、使用者が車椅子に座ったままの状態で容易に作業ができるように、作業カウンターの下方に膝や車椅子の一部を入れることの可能なニースペースを設けたものが知られている。
【０００３】
ところで、このような作業台に付設されている照明器具等のスイッチが、健常者を想定して比較的高い位置、あるいは作業カウンターの前端から遠く離れた位置に取り付けられていると、車椅子に座っている使用者にとって上記スイッチの操作が非常に困難になる場合がある。
【０００４】
そこで車椅子使用者の上記不便を解消し得る手段として、洗面化粧台に人体検知装置を設け、近づいてくる使用者を検知して照明器具を自動的に点灯させ、また使用者が遠ざかることを検知して照明器具を自動的に消灯させる技術が特許文献１に記載されている。
【特許文献１】特開２００３−２４２２５公報
【発明の開示】
【発明が解決しようとする課題】
【０００５】
前記特許文献１に記載の技術は、その明細書及び図面に記載される如く、洗面器の前面部に人体検知装置を設けているので、洗面化粧台の前を横切るだけの通過者も検知して、意図しないときでも照明器具を点灯させてしまうという問題があった。
【課題を解決するための手段】
【０００６】
前記従来の問題を解決するために本発明が提供する車椅子用作業台の特徴とするところは、作業カウンターの下方に、車椅子に座った状態の人の膝を収納できるニースペースが設けられた作業台において、当該ニースペース内に浸入した人体又は車椅子を検知するセンサーが設けられ、当該センサーの検知信号に基づき、前記作業台周辺に設置した照明器具等の付属機器を動作させるように設定されていることである。
【０００７】
本発明が適用対象とする作業台とは、洗面化粧台、台所の流し台、調理台など、使用者が一定時間留まって所定の作業を行う作業カウンターを有するものを指す。作業台の付属機器には、照明器具、鏡体の防曇ヒータ、換気装置などが挙げられる。またセンサーは、比較的近い距離に在る人体又は車椅子を検知するものであって、赤外線センサー・焦電センサー・超音波センサー・温度センサー・感圧センサー等が使用可能である。
【０００８】
なお前記車椅子用作業台において、ニースペースから人体及び車椅子が退出したことを検知すると、前記付属機器の動作を停止させるように設定してもよい。
【発明の効果】
【０００９】
本発明に係る車椅子用作業台は、ニースペース内に浸入した人体又は車椅子をセンサーで検知して照明器具等の付属機器を動作させるように設定されているから、車椅子に座った使用者が作業位置に着いてはじめて上記付属機器が動作し、作業台の前を人が通過しただけでは上記付属機器を意図せずに動作させることがない。
【００１０】
また請求項２に記載するように、ニースペースから人体及び車椅子が退出したことを検知すると、前記付属機器の動作を停止させるように設定した場合は、車椅子に座った使用者が作業台から離れるだけでよいから、前記付属機器の動作を停止させるためのスイッチ操作が不要である。
【発明を実施するための最良の形態】
【００１１】
図１は、本発明を適用した洗面化粧台Ｓを示すものであり、洗面器２が設置された洗面カウンター（作業カウンター）１の下方に、使用者が車椅子に座ったままの状態で膝を入れることの可能なニースペースＮが設けられている。
【００１２】
本例では、洗面化粧台ＳのニースペースＮ内に浸入した人体又は車椅子Ｋをセンサーで検知すると、鏡体Ｍの裏面又は内部に配設された防曇ヒータＨに対する通電を開始し、使用者が洗面化粧台Ｓから離れると、防曇ヒータＨへの通電を停止させるように設定されている。センサーとしては、透過型又は反射型の赤外線センサー１１を使用でき、これを例えばキャビネット３部分に配置する。あるいは感圧センサー１２をニースペースＮにおける床面に配置し、車椅子の荷重を検知することで、防曇ヒータＨ等を動作させるように構成してもよい。
【００１３】
洗面化粧台ＳのニースペースＮ内に浸入した人体又は車椅子Ｋを検知するセンサーとしては、図２に示すような焦電センサー１３や超音波センサー１４を用いることができる。センサーの取付位置として、洗面器２の下面や、ニースペースＮの正面壁なども可能である。この場合、ニースペースＮ外の人体や物体を検知することのないよう、検出距離を比較的小さく設定して、誤動作を防止する。なお本例では、センサー１３，１４で人体又は車椅子Ｋを検知すると、照明器具Ｌを点灯させ、使用者が洗面化粧台Ｓから離れると、照明器具Ｌを消灯させるように設定されている。
【００１４】
いずれの例にあっても、本発明に係る洗面化粧台Ｓのセンサー１１〜１４は、人体又は車椅子ＫがニースペースＮ内に浸入したときだけ検知し、洗面化粧台Ｓの前方を通過するだけの人は検知しないから、意図せずに照明器具Ｌ等を点灯させるおそれがない。
【産業上の利用可能性】
【００１５】
本発明は、洗面化粧台の外、台所の流し台や調理台への適用も可能である。この場合、センサーの検知信号によって、照明器具以外に、換気装置を運転することが考えられる。
【図面の簡単な説明】
【００１６】
【図１】本発明に係る車椅子用作業台の一例を示す斜視図である。
【図２】本発明に係る車椅子用作業台の一例を示す側面断面図である。
【符号の説明】
【００１７】
Ｈ…防曇ヒータ（付属機器）
Ｋ…車椅子
Ｌ…照明器具（付属機器）
Ｍ…鏡体
Ｎ…ニースペース
Ｓ…洗面化粧台
１…洗面カウンター（作業カウンター）
２…洗面器
３…キャビネット
１１〜１４…センサー
【図１】
2005211093.tif 000003
【図２】
2005211093.tif 000004
(57)【要約】      （修正有）【課題】調理前の乾燥した固い麺に、型枠を接合させる方法。【解決手段】型枠を、繊維質の多い「かんぴょう」等を細いピン状に加工し、乾燥させ強度を持たせ、型枠の上から数本突き通し固定する。このピンも調理後、柔らかくなるので食する事ができる。【選択図】図１
2005211059.tif 000002
【特許請求の範囲】
【請求項１】
（１）食材で作成した型
【請求項２】
（１）食材で作成したピン
【発明の詳細な説明】
【技術分野】
【０００１】  本発明は、卵を調理するための新手法である。
【背景技術】
【０００２】  本発明と類似点のあると思われる考案
日清食品（株）  チキンラーメンのたまごポケット
【発明の開示】
【発明が解決しようとする課題】
【０００３】  袋入りインスタントラーメンを調理する時、卵を具材として、同じ鍋で加熱する際、卵が沈み、充分な加熱がされないうちに、鍋底に白身がこびり付いてしまい、黄身も破れてしまうし、スープも濁る事がある。
【課題を解決するための手段】
【０００４】  袋入りインスタントラーメンは、乾燥状態なので調理初期には水分を含まず湯に浮いているので、平らな麺の上に型枠を接合させ、卵を安定させて、浮かした状態で調理すれば卵の、こびり付きを防げるし、これらを蒲鉾，チャーシュー，メンマ，葱等の食材で作ることで調理後、具として食する事ができ、利便性も上がる。
【発明の効果】
【０００５】  使用した鍋底への卵のこびり付が無くなり、洗浄も楽になり、卵の消費拡大及び栄養的にもバランスの良いラーメンとなる。
【発明を実施するための最良の形態】
【０００６】  通常、固く平らな乾燥麺から卵が流れ落ちないよう、型枠を制作し、調理前に乾燥麺に接合させる。
【図面の簡単な説明】
【０００７】
【図１】  平面図
【図２】  断面図
【符号の説明】
【０００８】１．乾燥麺  ２．型枠  ３．食用固定ピン  ４．卵
【図１】
2005211059.tif 000003
【手続補正書】
【提出日】平成16年4月1日(2004.4.1)
【手続補正１】
【補正対象書類名】図面
【補正対象項目名】全図
【補正方法】変更
【補正の内容】
【図１】
2005211059.tif 000004
【図２】
2005211059.tif 000005
(57)【要約】【課題】  割れることがない軽くて安価な鏡、及び、この鏡を使用した収納棚を提供する。【解決手段】  フィルム材料２の裏面に鏡面層３を積層したフィルム鏡１を、枠材４，５に固定し、これを収納棚の扉として使用する。【選択図】  図２
2005211525.tif 000002
【特許請求の範囲】
【請求項１】
フィルム材料の裏面に鏡面層を積層したフィルム鏡を枠材に固定したことを特徴とする鏡。
【請求項２】
請求項１に記載の鏡を扉として用いたことを特徴とする収納棚。
【請求項３】
フィルム材料の裏面に鏡面層を積層したフィルム鏡を扉に貼着したことを特徴とする収納棚。
【発明の詳細な説明】
【技術分野】
【０００１】
本発明は、鏡及び、この鏡を使用した収納棚に関するものである。
【背景技術】
【０００２】
従来、特許文献１に開示されているようなテレビジョン受信機用のフィルム鏡が存在する。しかし、浴室，洗面室等に設置される鏡の場合は、ガラスを用いた鏡となっており、また防曇のためにガラス表面に親水フィルム等を貼着したものが用いられている。
【特許文献１】特開平９−１８９８０３号公報
【発明の開示】
【発明が解決しようとする課題】
【０００３】
従来のようなガラス製の鏡では、重く、また、親水フィルム等を貼着したものでは、経時変化により親水フィルム等が剥離して、見栄えが悪くなってしまうという問題点があった。
【課題を解決するための手段】
【０００４】
本発明は上記従来の問題点に鑑み案出したものであって、軽く安価な鏡、及び、この鏡を用いた収納棚を提供せんとするものであり、請求項１の鏡は、フィルム材料の裏面に鏡面層を積層したフィルム鏡を枠材に固定したことである。
また請求項２の収納棚は、請求項１に記載の鏡を扉として用いたことである。
また請求項３の収納棚は、フィルム材料の裏面に鏡面層を積層したフィルム鏡を扉に貼着したことである。
【発明の効果】
【０００５】
本発明の鏡は、フィルム鏡を枠材に固定したことにより、軽くて安価な鏡が得られ、フィルム鏡が破損した場合には、このフィルム鏡のみを交換すれば良く、交換も安価にできるものとなる。
また、フィルム鏡を枠材に固定した鏡を扉として用いた収納棚は、扉を軽く形成でき、ヒンジ等をシンプルな構造とすることができる。また、鏡が破損した場合にも交換が容易であり、割れる心配がなく、浴室内等に良好に設置できるものとなる。
【０００６】
また、フィルム材料の裏面に鏡面層を積層したフィルム鏡を扉に貼着した収納棚は、扉の表面にフィルム鏡を貼着するだけで、収納棚の扉の表面を鏡面にすることができ、良好に浴室内等に設置して、収納棚を兼用した鏡として使用することができるものとなる。
また、フィルム鏡が破損した場合には、このフィルム鏡のみを交換すれば良く、交換も容易で安価に行うことができ、扉は軽くシンプルな構造にすることができ、割れる心配もなく安全なものとなる。
【実施例】
【０００７】
以下、本発明の実施例を図面に基づいて説明する。
図１は、フィルム鏡の断面拡大構成図である。
フィルム鏡１は、ポリエステル（ＰＥＴ）フィルム等のフィルム材料２の裏面に、銀薄膜等の鏡面層３を、蒸着もしくはスパッタリング法で一体形成させたものであり、例えばフィルム材料２は厚さが１５〜１００ミクロン程度で、裏側の鏡面層３は厚さが５００〜３０００Å程度であり、フィルム鏡１全体は良好な可撓性を有するものとなっている。
【０００８】
このようなフィルム鏡１を、図２に示すように、例えば四角リング形状に形成した裏枠材５の表面にピンと張った状態で配置させ、この状態で、表側より四角リング状の表枠材４を裏枠材５側に押し付けて嵌合させることにより、裏枠材５と表枠材４間にフィルム鏡１が挟み込まれ、その状態ではフィルム鏡１はピンと張った状態で良好に固定されるため、製作も容易であり、裏枠体５に対し表枠体４を嵌合させるのみの作業で良好なフィルム鏡を製作することができるものとなる。
【０００９】
なお、表枠材４は、表面片４ａの外周で裏枠材５側へ折り曲げて外周片４ｂが一体形成され、また表面片４ａの内周側には裏枠材５側へ折り曲げて内周片４ｃが一体化されて、断面略コの字状に形成されたものであり、表面片４ａと裏枠材５間でフィルム鏡１を挟み付けると同時に、外周片４ｂと内周片４ｃが裏枠材５の外周及び内周に嵌合されるような構造に形成されている。
【００１０】
このようにして、フィルム鏡１の外周側を枠材４，５で固定した軽く安価な鏡９を、例えば図３に示すような収納棚６の扉として用いることができるものである。
即ち、収納棚６は、前面側が開放された箱体７内に複数段の棚板８が設けられており、この箱体７の表面に、開閉可能に鏡９を設けて扉とすることができ、この扉は軽いフィルム鏡１で構成されているため、シンプルなヒンジ等を用いて、全体を軽くシンプルな構造にすることができ、収納棚６全体を軽く安価なものとすることができ、例えば図４に示すように、浴室内に良好に設置することができるものとなる。
【００１１】
図４では、浴室１０内には、浴槽１１と、洗い場１２側の壁面１３に、洗面器置き台１４と、その上方に水栓金具１５が設けられており、この水栓金具１５の上方に、良好に収納棚６を設置することができるものであり、このような浴室１０内に収納棚６を設けることにより、収納棚６内にはシャンプー等やひげ剃り等の備品を良好に収納させておくことができ、しかも、開閉可能な扉はフィルム鏡１で構成されているため、鏡として良好に使用し、ひげ剃り等を浴室１０内で良好に行うことができるものとなる。
【００１２】
なお、収納棚６の扉の表面に、図１の断面図で示したようなフィルム鏡１を後付け等で貼着して構成しても良く、扉にフィルム鏡１を貼着して良好な鏡面を形成させることができ、フィルム鏡１が破損したような場合には、フィルム鏡１のみを交換すれば良く、交換も安価に容易に行えるものとなり、割れる心配もなく、浴室に限らず、洗面室や居室にも、このような収納棚６を良好に設置することができるものとなる。
【図面の簡単な説明】
【００１３】
【図１】フィルム鏡の断面拡大構成図である。
【図２】図１のフィルム鏡を枠材４，５に固定する状態の縦断面作業説明図である。
【図３】図２のように枠材に固定したフィルム鏡を、収納棚の扉に用いた場合の収納棚の斜視構成図である。
【図４】図３の収納棚を浴室に設置した状態の浴室の斜視構成図である。
【符号の説明】
【００１４】
１  フィルム鏡
２  フィルム材料
３  鏡面層
４  表枠材
４ａ  表面片
４ｂ  外周片
４ｃ  内周片
５  裏枠材
６  収納棚
７  箱体
８  棚板
９  鏡
１０  浴室
１３  壁面
【図１】
2005211525.tif 000003
【図２】
2005211525.tif 000004
【図３】
2005211525.tif 000005
【図４】
2005211525.tif 000006
(57)【要約】【課題】カラスによるゴミ集積場等でのゴミ散乱を防ぐ。【解決手段】ゴミ袋の下部に威嚇した目の赤いカラスの図柄を印刷する。【選択図】図１
2005247578.tif 000002
【特許請求の範囲】
【請求項１】
ゴミ袋の少なくともどちらかの一面の下部表面にカラスが忌避する威嚇しているカラスの図柄を施した印刷部を設けたカラス対策ゴミ袋。
【請求項２】
カラスが忌避する赤色をつけたことを特徴とする請求項１記載のカラス対策ゴミ袋。
【発明の詳細な説明】
【技術分野】
【０００１】  本発明は、カラスによるゴミ散乱を防ぐためのカラス対策ゴミ袋に関するものである。
【背景技術】
【０００２】  従来、カラス対策として防鳥ネットやカラスの死骸の模型やゴミ箱等が利用されていた。
【発明の関示】
【発明が解決しようとする課題】
【０００３】  そのために次の問題点があった。
（イ）防鳥ネットはゴミに被せたり畳んだりの取り扱い・管理が大変であるし、ゴミの上に被せるので、不衛生でもあった。ゴミ箱も防鳥ネット同様に取り扱い・管理が大変であるし、食物の汁などの液体が流れ、不衛生で悪臭放った。
（ロ）防鳥ネットやゴミ箱等は見映えが悪く街の美観を損ねていた。またカラスの死骸の模型は、ずっと設置してるので、人に不快感を与えた。
本発明は、これらの問題点を解決するものである。
【課題を解決するための手段】
【０００４】  カラスは用心深い性格で、縄張り意識が強く、赤色が嫌いという習性を持っている。またゴミ袋の下からゴミを荒らす習慣があるので、ゴミ袋の下部に威嚇している目の赤いカラスの図柄を印刷をする。
【発明の効果】
【０００５】  カラスは縄張り意識が強いので、威嚇したカラスをゴミ袋に印刷することで、ゴミ袋に近づかなくなる。また、カラスは赤色が嫌いなので、威嚇しているカラスの目を赤くすることで、カラスの目につき、より一層効果的である。また、カラスはゴミ袋の下から食い荒らす習性なので、下部に威嚇したカラスを印刷することで、ゴミ袋の破損を防ぐ効果がある。
【発明を実施するための最良の形態】
【０００６】  以下、本発明の実施の形態について説明する。
ゴミを入れると下部が沈み底面になるので、ゴミ袋表面の下から１５ｃｍに実物大の威嚇している目の赤いカラスの図柄を配置し印刷する。
本発明は、以上の構成よりなっている。
【図面の簡単な説明】
【０００７】
【図１】本発明の平面図
【図２】本発明の使用状態図
【符号の説明】
【０００８】      １  ゴミ袋
２  カラス図柄
【図１】
2005247578.tif 000003
【図２】
2005247578.tif 000004
(57)【要約】【課題】  一体成形で内側の清掃が困難であったゴミ受けカゴを簡単に清掃出来るようにするため、分解清掃が可能なゴミ受けカゴを提供する。【解決手段】  ゴミ受けカゴ本体５に側板固定溝８と本体側連結ネジ１１を設け、ゴミ受けカゴ本体５から側板１、側板２、側板３、側板４を側板用装着取っ手９を用いて、底板６は底板用装着取っ手１０を用いて各々ゴミ受けカゴ本体５から着脱可能として分解清掃ができるようにする。【選択図】  図３
2005247579.tif 000002
【特許請求の範囲】
【請求項１】
ゴミ受けカゴ本体５の内側の側面に側板固定溝８を設け、側板１、側板２、側板３、側板４が側板固定溝８に沿ってゴミ受けカゴ本体５から着脱可能な構造とし、ゴミ受けカゴ本体５の下部に本体側連結ネジ１１を設け、底板６の底板側連結ネジ１３とねじ合わせることによってゴミ受けカゴ本体５より底板６が着脱可能な構造とした、分解清掃が可能なゴミ受けカゴ。
【発明の詳細な説明】
【技術分野】
【０００１】  本発明は、ゴミ受けカゴの清掃の困難さを解消するために、ゴミ受けカゴ本体と側板及び底板を分解出来る構造として、清掃が簡単に行える様にしたものである。
【技術背景】
【０００２】  従来、ゴミ受けカゴは一体物で使用することを前提としており、ゴミ受けカゴ本体と側板及び底板が分解可能なゴミ受けカゴはなかった。
【発明の開示】
【発明が解決しようとする課題】
【０００３】  内面積の小さいゴミ受けカゴは清掃具が内部に挿入しずらく、内部の側板及び底板の清掃が困難であった。また、側板及び底板に設けられている水切り穴も、ゴミ受けカゴの外側からの清掃が主となるため、内側の清掃が不完全なものになりがちであった。
本発明は、この課題を解消するためになされたものである。
【課題を解決するための手段】
【０００４】  ゴミ受けカゴ本体５に側板固定溝８と本体側連結ネジ１１を設け、ゴミ受けカゴ本体５から側板１，側板２，側板３，側板４を側板用装着取っ手９を用いて、底板６は底板用装着取っ手１０を用いて各々ゴミ受けカゴ本体５から着脱可能な構造とした。
【発明の効果】
【０００５】  ゴミ受けカゴ本体５から側板１、側板２、側板３、側板４及び底板６を分解可能な構造としてので、分解した側板１、側板２、側板３、側板４及び底板６の内側、外側がともに簡単に清掃でき、水切り穴１２も完全に清掃することが可能となった。
【発明を実施するための最良の形態】
【０００６】以下、本発明の実施の形態について説明する。
（イ）ゴミ受けカゴ本体５の側面に側板固定溝８を、ゴミ受けカゴ本体５の下部に本体側連結ネジ１１を設ける。
（ロ）側板固定溝８に沿って側板１、側板２、側板３、側板４を着脱または固定を行う。
（ハ）ゴミ受けカゴ本体５下部の本体側連結ネジ１１と底板６の底板側連結ネジ１３によって底板６の着脱または固定を行う。
本案を使用するときは、側板１、及び側板２、側板３、側板４に設けられている側板用装着取っ手９を手でにぎり、ゴミ受けカゴ本体５に設けられた側板固定溝８に沿わせて着脱を行う。底板６は底板用装着取っ手１０を手でにぎり、ゴミ受けカゴ本体５の下部に設けられた本体側連結ネジと底板６の底板側連結ネジ１３をねじ合わせることによって装着又は取り外しを行う。ゴミ受けカゴ本体はゴミ受けカゴ本体用取っ手７にて流し台からの出し入れを行う。
【図面の簡単な説明】
【０００７】
【図１】  本発明の側面図である。
【図２】  本発明の正面図である。
【図３】  本発明の斜視図である。
【図４】  本発明の本体単体の斜視図である。
【図５】  本発明の側板単体の斜視図である。
【図６】  本発明の底板単体の斜視図である。
【符号の説明】
【０００８】  １  側板１
２  側板２
３  側板３
４  側板４
５  ゴミ受けカゴ本体
６  底板
７  ゴミ受けカゴ本体用取っ手
８  側板固定溝
９  側板用装着取っ手
１０  底板用装着取っ手
１１  本体側連結ネジ
１２  水切り穴
１３  底板側連結ネジ
【図１】
2005247579.tif 000003
【図２】
2005247579.tif 000004
【図３】
2005247579.tif 000005
【図４】
2005247579.tif 000006
【図５】
2005247579.tif 000007
【図６】
2005247579.tif 000008
(57)【要約】      （修正有）【課題】ごみ容器に乾燥等の処理機能を設けて、ごみのリサイクルコストを低減する。【解決手段】ごみ容器１は、内部に中底３を備えており、容器の内部はこの中底で上下２つの区画（処理スペース５と貯留スペース６）に分けられている。中底３は取っ手３ａを持って前面に引き出すことができる。ごみ容器１の上面はヒンジ式の投入蓋１０で塞がれており、これを開いてごみを中に投入する。処理スペース５には、受け入れるごみの種類に応じた処理装置１１を設ける。水洗いをした後のプラスチックごみを受け入れる場合は、蓋の内側に処理装置１１として電気式の温風ブロアーを取り付け、ごみに温風を吹き込つけて乾燥させようにしている。ごみ容器の下部前面にはごみ搬出のための排出蓋１２を設ける。【選択図】図２
2005247576.tif 000002
【特許請求の範囲】
【請求項１】
外に引き出せるように中底を設けて容器内部を上側の処理スペースと下側の貯留スペースの２つに区画し、容器上部に、該処理スペースにごみを投入するための投入蓋を設け、容器下部に、該貯留スペースのごみを排出するための排出蓋を設けたごみ容器。
【請求項２】
該処理スペースに温風を送る手段を設けた請求項１に記載のごみ容器。
【請求項３】
該処理スペースに殺菌灯を設けた請求項１または２に記載のごみ容器
【発明の詳細な説明】
【技術分野】
【０００１】
本発明は、家庭や事業所で使用するごみ容器に関する。
【背景技術】
【０００２】
ごみのリサイクルコストを低減してリサイクルを推進するためには、家庭や事業所において初期段階から種類ごとに分別し、ごみの種類に応じた処理をしてから排出することが大切である。例えば、生ごみはを水分をよく切る。空き瓶、空き缶等、プラスチック容器等は水洗いした後、水切り、乾燥してから排出する。また、紙くずなどは、圧縮して嵩を小さくすることが望まれる。
【０００３】
従来、このようなごみ出し前の処理は使いやすい器具がなく、たいへん面倒で時間がかかるものであった。
【発明の開示】
【発明が解決しようとする課題】
【０００４】
この発明は、ごみ容器に乾燥等の処理機能を設けて、ごみのリサイクルコストを低減することを課題とする。
【課題を解決するための手段】
【０００５】
この発明のごみ容器は、外に引き出せるように中底を設けて容器内部を上側の処理スペースと下側の貯留スペースの２つに区画する。そして、容器上部に、処理スペースにごみを投入するための投入口を設け、容器下部に、貯留スペースのごみを排出するための排出口を設ける（請求項１）。
このごみ容器では、上の区画に受け入れたごみをここで処理し、処理の終わったごみを、中底を引き出して下の区画に落として貯留することができる。処理スペースのごみは、加熱、殺菌、圧縮等の処理が可能であり、加熱、殺菌する場合は温風ブロアーや殺菌灯を備える（請求項２、３）。処理スペースのごみは、上から圧縮棒で押圧して嵩を小さくすることもできる。
【０００６】
このようのこのごみ容器は、ごみ処理と貯留が一つの容器でできるので、場所を取らず、ごみのリサイクルに寄与することができる。
【発明を実施するための最良の形態】
【０００７】
このごみ容器１は図１に示すように、縦長の箱体であり、３つ一組に連なっている。実際には、これを１〜３個並べて使用する。こうすれば、最大９種類のごみを分別することができる。各ごみ容器１には表示板２を設け、受け入れるごみの種類を、例えば、生ごみ、紙くず、プラスチック、アルミ.....のように表示する。
【０００８】
各ごみ容器１は、図２に示すように、内部に中底３を備えており、容器の内部はこの中底で上下２つの区画（処理スペース５と貯留スペース６）に分けられている。中底３は、容器の内面に設けられたレール９に左右側縁が乗っており、取っ手３ａを持って前面に引き出すことができる。ごみ容器１の上面はヒンジ式の投入蓋１０で塞がれており、これを開いてごみを中に投入する。投入されたごみは、中底３の上に貯まる。
【０００９】
処理スペース５には、受け入れるごみの種類に応じた処理装置１１を設ける。図２に示すごみ容器は、水洗いをした後のプラスチックごみを受け入れるので、蓋の内側に処理装置１１として電気式の温風ブロアーを取り付け、ごみに温風を吹き込つけて乾燥させようにしている（図２（ａ））。生ごみなど臭いが出やすいものの場合は、温風ブロアーに代えて殺菌灯を取り付け、最近の増殖を抑え、悪臭がひどくならないようにすることもできる。
【００１０】
ごみ容器の下部前面にはごみ搬出のための排出蓋１２がある。この蓋は下縁が容器に枢支されていて、手前に開くようになっている。
【００１１】
このごみ容器の使用法を図２で説明すると、同図（ａ）に示すように、投入蓋１０を開いてごみ、ここでは水洗いして汚れを洗い流したプラスチックごみを入れ、蓋１０を閉じる。こうして、温風ブロアー１１から温風をごみに吹き付けて乾燥させる。ごみの水分が除去されたら、同図（ｂ）に示すように、蓋１０を開けて圧縮棒１３を容器の中に入れ、これでごみを押圧し嵩を小さくする。
【００１２】
こうして処理が終わったら、取っ手３ａを引いて中底３を外に引き出す。こうすると、同図（ｃ）に示すように、ごみが貯留スペース６に落ち、予め広げておいたポリ袋１５の中に収まる。最後に、同図（ｄ）に示すように、排出蓋１２を開いて、袋ごとごみを取り出し、ごみ収集に出す。
【図面の簡単な説明】
【００１３】
【図１】ごみ容器の斜視図である。
【図２】ごみ容器の使用状態を示す断面図である。
【符号の説明】
【００１４】
１    ごみ容器
３    中底
５    処理スペース
６    貯留スペース
１０  投入蓋
１１  処理装置（温風ブロアー）
１２  排出蓋
１３  圧縮棒
【図１】
2005247576.tif 000003
【図２】
2005247576.tif 000004
(57)【要約】【課題】  従来のように印字位置から用紙終端検出位置までの距離が一定である用紙終端位置検出機構では、使用する用紙の頁長に依り未印字で残る頁数が増え、無駄が生じていた。【解決手段】  印字行に添って所定ピッチで配列された複数のドット印字ハンマを有するハンマ機構部と、該ハンマ機構部を行方向に往復運動させるシャトル機構部と、印字用紙を印刷行と垂直方向に搬送する紙送り機構を有する印字機構部と、該印字機構部を保持する台座となる筐体と、印字部以下の連続紙導入部に配置されて印字用紙の終端を検出する光学センサとを備えたプリンタの用紙終端検出機構において、前記光学センサを鉛直方向に移動調節可能とした。【選択図】図２
2005247531.tif 000002
【特許請求の範囲】
【請求項１】
印字行に添って所定ピッチで配列された複数のドット印字ハンマを有するハンマ機構部と、該ハンマ機構部を行方向に往復運動させるシャトル機構部と、印字用紙を印刷行と垂直方向に搬送する紙送り機構を有する印字機構部と、該印字機構部を保持する台座となる筐体と、印字部以下の連続紙導入部に配置されて印字用紙の終端を検出する光学センサとを備えたプリンタの用紙終端検出機構において、前記光学センサを鉛直方向に移動調節可能としたことを特徴とするプリンタの用紙終端検出機構。
【発明の詳細な説明】
【技術分野】
【０００１】
本発明は、筐体を有するプリンタの用紙終端検出機構に関する。
【背景技術】
【０００２】
従来技術における用紙終端検出機構の構成を図１を用いて説明する。
【０００３】
ミシン目で折り畳まれた連続紙に印刷を行うドットプリンタでは、印字部以下に用紙の終端を検出する機構が配置されており、給紙が途絶えた場合は印刷が停止されるようになっている。
【０００４】
従来の用紙終端検出機構は、発光センサ４と受光センサ５からなる光学センサの位置は固定であり、使用する用紙長に依らず、印字部８から用紙終端検出位置までの距離は固定である。この為、使用する連続紙の頁長により用紙終端の未印字の残頁数に違いが生じていた。図１において、1は筐体、２はロアペーパガイドクミ、３はセンサボックス、６は連続紙、８は印字部を示す。
【０００５】
図３、図４を用いて従来印字用紙の終端検出について説明する。
【０００６】
印字位置から用紙終端検出位置までの距離を１４ｉｎｃｈとする。頁長１１ｉｎｃｈの連続紙を用いた場合、用紙終端検出後、印刷中のページ残り３ｉｎｃｈを印刷し、未印字ページを１頁残して印刷を停止する。頁長６ｉｎｃｈの連続紙を用いた場合、用紙終端検出後、印刷中のページ残り２ｉｎｃｈを印刷し、未印字ページを２頁残して印刷を停止する。従来技術の具体例における使用用紙の頁長と未印字頁数の関係を表１に示す。
【０００７】
【表１】
2005247531.tif 000003
【０００８】
【特許文献１】特開平６−１２２２５６号公報
【発明の開示】
【発明が解決しようとする課題】
【０００９】
上述したように、従来の用紙終端検出機構では、使用用紙の頁長に依り未印字で残す頁数に違いが生じていた。通常、未印字ページは印字した用紙束の印字最終ページの印刷面保護の役割を果たす。保護ページは１頁で十分であるが、従来技術では頁長に依り未印字のページが２頁以上になり無駄が生じていた。
【課題を解決するための手段】
【００１０】
上記課題は、使用用紙の頁長に対応して、光学センサを鉛直方向に移動調節可能にすることによって解決される。
【発明の効果】
【００１１】
本発明によると、印刷後の未印字ページは常に１頁になり、用紙に無駄が生じない。
【００１２】
また、未印字ページ数が一定であれば使用する用紙の頁長に依らず、既知量のデータを印字する為に必要な頁数の推定が容易となる。
【発明を実施するための最良の形態】
【００１３】
以下、図２を用いて本発明の実施例を説明する。図２において、図１と同一部分は同一符号で示してある。
【００１４】
図２において、筐体１の印字位置以下に発光センサ４を実装したロアペーパガイドクミ２をネジ止めし、筐体１のロアペーパガイドクミ２取付け面の鉛直方向３ヶ所にネジ止め用のバーリング穴を配置することで、鉛直方向３ヶ所に取付け位置の変更が可能である。また、発光センサ４の対向位置に受光センサ５を実装したセンサボックス３を、鉛直方向３ヶ所にバーリング穴９を配置したアジャスタ７にネジ１０で固定する。ロアペーパガイドクミ２、センサボックス３は使用する用紙の頁長に依り取付け位置の変更が可能で、常に発光センサ４、受光センサ５が対向するようにする。
【００１５】
図５、表２に使用用紙の頁長に依る用紙終端検出位置設定の具体例を示す。図５に示すように頁長が短い用紙を用いる場合は、用紙終端検出位置を印字位置に近づけることで、未印字頁数を１頁に抑えることができる。
【００１６】
【表２】
2005247531.tif 000004
【図面の簡単な説明】
【００１７】
【図１】従来技術を示す模式図である。
【図２】本発明の実施例を示す模式図である。
【図３】従来技術における最終印字状態例（１１ｉｎｃｈ頁長紙使用）を示す図である。
【図４】従来技術における最終印字状態例（６ｉｎｃｈ頁長紙使用）を示す図である。
【図５】本発明における最終印字状態例（６ｉｎｃｈ頁長紙使用）を示す図である。
【符号の説明】
【００１８】
１…筐体、２…ロアペーパガイドクミ、３…センサボックス、４…発光センサ、５…受光センサ、６…連続紙、７…アジャスタ、８…印字部、９…バーリング穴、１０…ネジ。
【図１】
2005247531.tif 000005
【図２】
2005247531.tif 000006
【図３】
2005247531.tif 000007
【図４】
2005247531.tif 000008
【図５】
2005247531.tif 000009